(57)【要約】【課題】  特に複数の者が一つの演目（作品）に関する創作に携わって１本のミュージカル等の脚本を完成するために使用して好適な脚本作成用紙を提供すること。【解決手段】  １枚の用紙に、その一側に縦線を時空軸３として描き、該軸３の中間部から描き出す横線をストーリーの展開軸４として描くと共に、該展開軸４を長さ方向で４つに区分して各区分を前記時空軸３と平行な線を描いて少なくとも４つの区画に分け、各区画をストーリーの起，承，転，結に対応した脚本内容の記載欄St，Rc，Re，Laに形成したこと。【選択図】図１
0003104944.tif 000002
【実用新案登録請求の範囲】
【請求項１】
１枚の用紙に、その一側に縦線を時空軸として描き、該軸の中間部から描き出す横線をストーリーの展開軸として描くと共に、該展開軸を長さ方向で４つに区分して各区分を前記時空軸と平行な線を描いて少なくとも４つの区画に分け、各区画をストーリーの起，承，転，結に対応した脚本内容の記載欄に形成したことを特徴とするミュージカル等の脚本制作用紙。
【請求項２】
起，承，転，結の各記載欄の上方又は下方に、展開軸に沿って全体構成，照明，音楽，振付，演出などの夫々に関する記載欄を横線で区画して設けた請求項１のミュージカル等の脚本制作用紙。
【請求項３】
起，承，転，結の記載欄を、一枚の用紙の展開軸上に、２組以上設けた請求項１又は２のミュージカル等の脚本制作用紙。
【請求項４】
時空軸は、上記展開軸との交点を現在とし、その交点より上方を現在以降の未来に向かう時空の基準軸として、前記交点より下方を現在以前の過去に戻る時空の基準軸として設けた請求項１〜３のいずれかのミュージカル等の脚本制作用紙。
【考案の詳細な説明】
【技術分野】
【０００１】
本考案は、ミュージカルを始め、演劇，映画，テレビ劇など用の脚本を複数の者が協同乃至は合同で制作する際に使用して有用な脚本制作用の用紙に関する。
【背景技術】
【０００２】
従来からミュージカル，演劇，映画などを制作するための脚本は、伝統的にいわゆる脚本家や脚本作家などと称される作家が無定型の用紙や通常のノートなどを用いて、夫々の作家の個人的な流儀により任意の形式，パターンなどによって制作されている。
【０００３】
このように、ミュージカル等の脚本の制作は脚本家或は作家個人の創作活動であることから、作品の構想から完成まで、原則的にその脚本家や作家による個人の単独作業によって完成されるのが通例である。
【０００４】
しかし、作品の内容や展開、或は、出演者に対する演出や舞台効果など、そのミュージカルや演劇などの全体に亘って一人の脚本家が単独でその作品を創り出すよりも、複数の者が各出演者や場面など、或は、ストーリーの展開などを分担した形で、或は、分担せず合同乃至協同した形で１本の作品（脚本）を創り上げて行くことも考えられ、また、協同での創作の方が作家個人が単独で創り上げる場合に比べ合理的な面があると考えられるほか、創作する作品によっては作品としてより大きな幅や奥行きを持たせることを可能にすることも多いと考えられる。
【０００５】
上述のように、脚本の制作には何らの定型性もないため、仮に、同じテーマに関して複数の者により一つの作品を完成させるには、協同乃至合同する各制作者が、少なくとも同じ型式でストーリを展開させる形を採らないと、単に各人が各様に着想して制作した作品に係る内容を持ち寄るだけでは、これを一つの作品にまとめ上げたり仕上げることは、至って困難であると考えられる。協同乃至合同制作者の各人が、各人各様の任意の形式などによりストーリの展開などに係る記述等を無定形のノートなどに記載しても、それらを単にそのまま単に合体しただけでは一本の作品に湊合乃至統合することにはならないからである。
【考案の開示】
【考案が解決しようとする課題】
【０００６】
本考案は上述のような点に鑑み、特に複数の者が一つの演目（作品）に関する創作に携わって１本のミュージカル等の脚本を完成するために使用して好適な脚本作成用紙を提供することを、その課題とする。
【課題を解決するための手段】
【０００７】
上記課題を解決することを目的としてなされた本考案脚本制作用紙の構成は、１枚の用紙に、その一側に縦線を時空軸として描き、該軸の中間部から描き出す横線をストーリーの展開軸として描くと共に、該展開軸を長さ方向で４つに区分して各区分を前記時空軸と平行な線を描いて少なくとも４つの区画に分け、各区画をストリーの起，承，転，結に対応した脚本内容の記載欄に形成したことを特徴とするものである。
【０００８】
本考案脚本制作用紙は、上記構成において、前記起，承，転，結の各記載欄の上方又は下方に、展開軸に沿って全体構成，照明，音楽，振付，演出などの夫々に関する記載欄を横線で区画して設けた様式とすることもある。
【０００９】
また、本考案脚本制作用紙では、前記の起，承，転，結の記載欄を、一枚の用紙の展開軸上に、２組以上設けた様式のものもある。
【００１０】
本考案脚本制作用紙の時空軸は、上記展開軸との交点を現在とし、その交点より上方を現在以降の未来に向かう時空の基準軸として、前記交点より下方を現在以前の過去に戻る時空の基準軸として意義付けをして利用するものとする。
【考案の効果】
【００１１】
本考案脚本制作用紙は、１枚の用紙に、その一側に縦線を時空軸として描き、該軸の中間部から描き出す横線をストーリーの展開軸として描くと共に、該展開軸を長さ方向で４つに区分して各区分を前記時空軸と平行な線を描いて少なくとも４つの区画に分け、各区画をストリーの起，承，転，結に対応した脚本内容の記載欄に形成したから、複数の者が一つのテーマについての脚本を協同乃至合同して制作するとき、夫々の者がこの制作用紙を使用して製作すれば、同じ様式でストーリの展開などに沿って、脚本を構成することができ、従って、一本の作品の脚本を協同乃至合同で制作することが容易に可能になる。
【考案を実施するための最良の形態】
【００１２】
次に本考案脚本制作用紙の実施形態の例について図を参照して説明する。図１は本考案脚本制作用紙の一例の平面図である。
図において、１は、一例としてA3の洋紙を横長に用いた本考案脚本制作用紙（以下、「本考案用紙」という）で、次の構成を具備している。なお、使用する浄紙のサイズはA3サイズに限られるものではなく、例えばB4などであってもよい。用紙Ｐの使い方も、横長ではなく縦長にして用いてもよい。
【００１３】
本考案用紙１は、図の例では用紙１の周囲に適宜幅の余白を残して枠２の線を描き、この枠２の中に、以下に説明する様々な記載欄を印刷などにより描いた線で囲んで形成している。
【００１４】
各記載欄の基準となるのは、用紙１における枠２の左側寄りに描いた縦線による時空軸３と、この時空軸３の中間部から当該用紙１の右方へ向けて描いた横線による展開軸４である。なお、図示しないが、用紙１を縦長に用いた場合、その用紙１の上部（または下部）に横線による時空軸を描き、この時空軸３の中間部から用紙１の下方へ向けて描いた縦線が展開軸４となる。
【００１５】
上記枠２の中に描かれた時空軸３とこの軸３と直交する向きで描かれた展開軸４を基準にして、枠２の内部が時空軸３と平行に描かれる３本の縦線５，６，７により４つに区分され、各区分が展開軸４をほぼ中心に置いてストーリーの起，承，転，結についてのそれぞれの記載欄となる４つの欄St，Rc，Re，Laが形成されている。ストーリーの起，承，転，結に関する各記載欄St，Rc，Re，Laを形成する上記の３本の縦線５，６，７は、実線や鎖線、或は、太線や二重線など、どのような形態の線であってもよい。この点は、上記枠２、時空軸３、展開軸４のいずれについても同様である。
【００１６】
図示した本考案用紙１の例では、ストーリーの起，承，転，結の各記載欄St，Rc，Re，Laの上部と下部とに、展開軸４と平行な６本の横線８〜13を描き、各横線８〜13により区画される展開軸４に平行に形成される横長の６つの欄を、上から順に、作品名の記載欄Ti、その作品の全体の構成に関する記載欄Gs、照明に関する記載欄Li、音楽に関する記載欄Mu、振付に関する記載欄Da、演出に関する記載欄Drとして形成している。この各欄Ti，Gs，Li，Mu，Da，Drを形成する線も、上記の線５〜７と同様に、使用する線の形態は任意である。なお、用紙１を縦向きに使った場合の上記の各記載欄は、図示しないが上記例に準じ基準となる時空軸３，展開軸４に沿って形成されることになる。
【００１７】
以上により図示した本考案脚本制作用紙１の一例が構成されるので、次の使用形態乃至使用方法について説明する。
本考案用紙１は、上記の同一様式で予め多数が印刷されて用意され、脚本制作に携わる複数の者に、夫々に、複数枚、例えば、10枚程度乃至はそれ以上が手交される。
【００１８】
そして、脚本を制作する作品のテーマ，登場人物，時代背景，ストーリーの展開などについて、この脚本の制作に携わる複数の担当者間で共通の認識を持つための会合や打合せなどが催される。
複数人の脚本制作に携わる者の間で催された制作対象となる作品に関する上記会合や打合せの結果は、各人が持っている本考案用紙１に、一例として図２に例示したように、登場人物や登場人物をめぐって劇中で起こる様々な事象についてお大まかな構想、枠組など時空軸３と展開軸４に沿い、ストーリーの起，承，転，結に関する各記載欄St，Rc，Re，Laにメモ形式などによって夫々に記載されることにより、本考案用紙１を用いて制作に携わる各人の間で共通した認識として決定した作品の着想、シーン構成が作られる。
【００１９】
このあと、この脚本制作に携わる者は、上記のシーン構成を更に掘り下げ、或は、幅を持たせるなどの観点から夫々に、或は、合同して脚本の内容を練上げてその内容を本考案用紙１に書込み、準備稿から上演稿へと進展，展開させていくことにより、対象作品の脚本の完成を目指すこととなる。
【００２０】
上記のように、様式が統一された本考案用紙１を用いることにより、複数の者が一つの作品の脚本の完成のために、その着想，シーン構成の段階から上演稿、即ち、脚本の完成までを、複数人による協同的乃至合同的作業によって逐行することが可能になる。
【００２１】
これは、本考案用紙１が、一枚の用紙の上に、時空軸３と展開軸４を基準にして、作品のストーリーについての起，承，転，結の各記載欄St，Rc，Re，Laが形成されているので、この各記載欄に、対象作品を例えばミュージカルの演出用脚本に仕上げるための内容を各制作者が打合せなどをしながら記述したものを、一つにまとめることができるからであるが、従来の無方式の脚本制作用の用紙ではこのような形態を採ることはできなかった。
【産業上の利用可能性】
【００２２】
本考案脚本制作用紙は以上の通りであるから、複数人により一つの作品の脚本を協同乃至は合同で制作するための用具としてきわめて有用である。
【図面の簡単な説明】
【００２３】
【図１】本考案脚本制作用紙の一例の平面図。
【図２】使用状態の一例の平面図。
【符号の説明】
【００２４】
１    脚本制作用紙
２    枠
３    時空軸
４    展開軸
St    ストーリーの起の記載欄
Rc    ストーリーの承の記載欄
Re    ストーリーの転の記載欄
La    ストーリーの結の記載欄
【図１】
0003104944.tif 000003
【図２】
0003104944.tif 000004